(57)【要約】  ドア（５）によって閉じられるキャビネット（２）と、キャビネット（２）の内側に収容される支持表面（１０）と、支持表面（１０）上に配置される可溶性材料のための多数の容器（１１）と、多数の加熱装置（４４）とを有する飲料自動販売機（１）であって、各々の加熱装置は、容器（１１）を支持表面（１０）に係止するための係止部材（３４）内に組み込まれ、電気抵抗器（４５）を有する。
2012518219.tif 000002
【特許請求の範囲】
【請求項１】
キャビネットと、該キャビネットの内側に収容される支持表面と、該支持表面上に配置される、可溶性材料を収容するための少なくとも１つの容器と、少なくとも１つの加熱装置とを含み、該加熱装置は、前記支持表面に接続され且つ前記容器の下に配置される熱源と、使用中に前記容器を前記支持表面に係止するよう、前記支持表面に剛的に接続される係止部材とを含む、飲料自動販売機であって、
前記容器は、中空のベースを有し、前記係止部材は、本体を含み、該本体は、前記熱源を支持し、前記支持表面から前記容器に向かって突出し、前記容器の前記ベースによって係合され、取外し可能なコンセント結合を形成する、
飲料自動販売機。
【請求項２】
前記熱源は、電気抵抗器を含む、請求項１に記載の飲料自動販売機。
【請求項３】
前記本体は、頂壁を有し、前記熱源は、前記頂壁上の金属シートによって定められる電気抵抗器を含む、請求項１に記載の飲料自動販売機。
【請求項４】
前記加熱装置は、前記電気抵抗器が介在した状態で前記頂壁に堅固に接続される金属プレートを含む、請求項３に記載の飲料自動販売機。
【請求項５】
前記電気抵抗器は、前記金属プレートに接着される、請求項４に記載の飲料自動販売機。
【請求項６】
前記支持表面上に並んで配置される多数の容器と、多数の前記加熱装置とを含み、前記加熱装置の各々は、夫々の容器と関連付けられる、請求項１乃至５のうちのいずれか１項に記載の飲料自動販売機。
【請求項７】
請求項１乃至６のうちのいずれか１項に記載の加熱装置。
【発明の詳細な説明】
【技術分野】
【０００１】
本発明は飲料自動販売機に関する。
【０００２】
より具体的には、本発明は、キャビネットと、キャビネットの内側に収容される支持表面と、支持表面上に配置され且つ可溶性材料を収容するための少なくとも１つの容器と、加熱装置とを含み、加熱装置は、支持表面に接続され且つ容器の下に配置される加熱源と、使用中に容器を支持表面に係止するよう支持表面に剛的に接続される係止部材とを含む種類の飲料自動販売機に関する。
【背景技術】
【０００３】
この種類の自動販売機は、例えば、ＵＳ−Ａ−２７５５０００中に記載されている。
【０００４】
加熱源にも拘わらず、上記種類の既知の自動販売機の共通の欠点は、キャビネット内の蒸気が容器内の可溶性材料を固めるのを防止できず、よって、容器の底部に配置されるのが通常である計量分配装置（通常は動力付きネジ）を詰まらせることである。
【発明の概要】
【発明が解決しようとする課題】
【０００５】
上記欠点を直接的且つ低コストに解消するよう設計される飲料自動販売機を提供することが本発明の目的である。
【課題を解決するための手段】
【０００６】
本発明によれば、請求項１において請求されるような、好ましくは、請求項１に直接的又は間接的に従属する後続の請求項のうちのいずれか１項において請求されるような飲料自動販売機が提供される。
【０００７】
付属の図面を参照して、本発明の非限定的な実施態様を一例として記載する。
【図面の簡単な説明】
【０００８】
【図１】本発明に従った機械の好適実施態様を正面斜め横から示す斜視上面図であり、明瞭性のために一部が取り除かれている。
【図２】図１の詳細を示す拡大図であり、明瞭性のために一部が取り除かれている。
【図３】図１中の詳細の軸方向断面を示す拡大図である。
【図４】図３の詳細を示す拡大図である。
【図５】図４の詳細を示す斜視分解図である。
【発明を実施するための形態】
【０００９】
図１中の番号１は、一定の可溶性材料から作られる特に高温又は低温用の所謂「インスタント」飲料のための飲料自動販売機を全体的に示している。
【００１０】
機械１は、区画(compartment)３を定めるキャビネット２を含み、区画３は、夫々の飲料を生成するための多数の組立体４を収容し、飲料選択ボタンパネル６と、計量分配凹部７とを含むドア５によって、正面で閉じられている。使用者は、計量分配凹部７から、選択的な飲料のカップ（図示せず）を引き出す。
【００１１】
区画３の内側には、組立体４がキャビネット２に剛的に接続されるフレーム８に適合され、フレーム８は、キャビネット２の後壁に面する垂直壁９と、垂直壁９に対して垂直であり、垂直壁９と一体的であり、且つ、垂直壁９からドア５に向かって延びる水平壁１０とを含む。
【００１２】
水平壁１０は、組立体４のための支持表面を定め、各々の組立体は、可溶性材料の１つ又はそれよりも多くの容器１１と、他のミキサ１２と共に、ドア５に面して水平壁１０の下に配置される既知のミキサ１２とを含む。
【００１３】
より具体的には、図１及び３に示されるように、ミキサ１２は隔室(cell)１３の内側に並んで収容され、隔室１３は、水平壁１０に剛的に接続され且つミキサ１２を支持する壁１４と、底壁１５と、２つの横壁１６（図１には一方のみが示されている）とによって定められ、ドア５に面し且つハッチ１７を備える正面開口を有する。１つの変形では、１つの壁又は各壁１６を機械１の対応する横壁と置換し得る。
【００１４】
各ミキサ１２は、漏斗形状であり、各ミキサ１２は、ポンプ（図示せず）の供給部に接続される２つの加圧水入口１８と連絡し、且つ、蒸気吸引導管１９と連絡する頂部入口と、狭い底部分とを含み、狭い底部分は、使用中、壁１４に適合される電気モータ２１によって動作される混合羽根車２０を収容し、供給ホース２３によって外側と連絡する飲料流出導管２２を有する。
【００１５】
図３中に示されるように、各容器１１は、可溶性材料を収容するためのタンクを含み、操作者による容易な取外し及び再充填のための正面ハンドル２５を有し、取外し可能なカバー２６によって頂部で閉じられ、下向きに面し且つ水平壁１０上に位置するカップ形状のベース２７によって底部で閉じられる。
【００１６】
タンク２４の底部に、容器１１は、材料計量分配装置を含み、材料計量分配装置は、水平壁１０と平行であり且つ垂直壁９に対して垂直な軸２９と同軸状のネジ２８を含む。使用中、ネジ２８は、電気モータ３０によって作動され、電気モータ３０は壁９に取り付けられ、且つ、出力シャフト３１を含み、出力シャフト３１は、容器１１の横壁を通じて延び、既知の迅速適合される面結合によってネジ２８の後端部に角度的に接続される。
【００１７】
ネジ２８の反対側の自由端部は、既知の噴出口（spout）の入口導管と係合する。噴出口３２は、容器１１の横壁に適合され、且つ、出口導管を有し、出口導管は、軸２９に対して垂直に下向きに延び、水平壁１０を通じて、相対的なミキサ１２の入口に至る。
【００１８】
図２及び３に示されるように、容器１１を水平壁１０に取外し可能に係止するために、各容器１１のカップ形状ベース２７は、その正面に近接して、軸２９と平行な直線ガイド３３を定めるよう内部的に成形され、直線ガイド３３が容器１１に対して組み立てられるとき、直線ガイド３３は夫々の係止部材によって摺動的な方法で係合され、係止部材は、直線ガイド３３と共に、取外し可能なコンセント結合（plug-socket coupling）を形成し、水平壁１０に適合され且つ相対的な電気モータ３０の出力シャフト３１と整列される細長い本体３４によって定められる。
【００１９】
図４及び５中により明瞭に示されるように、本体３４は、実質的に平行六面体の形状のシェルの形態であり、底部開口３５を有し、且つ、中央貫通孔３７を備える外向きに凸状の頂壁３６、互いに並びに軸２９と平行な２つの長手方向の側部３８、及び、長手方向の側部３８に対して垂直な２つの平行な横方向の側部３９によって横方向に境界付けられる。本体３４は、ネジ４０によって水平壁１０に締め付けられ、ネジ４０は、軸２９に対して垂直なネジ山付き孔と係合し、且つ、噴出口３２に面する横方向の側部３９から軸方向に突出する丸められた付属物４１を通じて形成される。ネジ締結具に加えて、使用中、本体３４を整列された状態に維持するために、相対的な電気モータ３０の出力シャフト３１を用いて、付属物４１と反対側の横方向の側部３９の自由縁部は、Ｌ形状の付属物４２を有し、Ｌ形状の付属物４２は、垂直壁９に向かって延び且つ水平壁１０の下面と接触するよう、本体３４を組み立てるとき、ネジ４０を挿入する前に、水平壁１０を通じて形成される孔４３を通じて挿入され、孔４３の自由縁部に対して静止して位置付けられる。
【００２０】
可溶性材料が相対的なネジ２８を取り囲む各タンク２４の領域において固まるのを防止するために、機械１は、各容器１１のために、相対的な本体３４内に組み込まれる加熱装置４４を含む。
【００２１】
図４及び５に示されるように、各加熱装置４４は、矩形の金属シートの形態の電気抵抗器４５によって定められる加熱源を含み、金属シートは、頂壁３６の外表面を覆い、中央突起４６を有し、中央突起４６は、孔３７と係合し、中央突起４６から２つの電気端子４７が突出している。
【００２２】
抵抗器４５は、金属プレート４８によって頂壁３６に接触した状態に保持され、金属プレート４８は、加熱装置４４の一部を形成し、頂壁３６と実質的に同じ形状及び大きさであり、且つ、２つの翼部４９を有する。２つの翼部４９は、金属プレート４８の夫々の長手方向の自由縁部から下向きに突出し、それらの各々は、スロット５０を有し、本体３４の夫々の長手方向の側部３８と一体的な夫々の歯５１がスロット５０内にカチッと収まる。
【００２３】
好適実施態様では、抵抗器４５を安定化し、抵抗器４５と金属プレート４８との間の熱伝達を向上するために、抵抗器４５は、伝熱接着剤を使用して金属プレート４８の内表面に事前に接着される。
【００２４】
図３に示されるように、端子４７は、好ましくは本体３４の内側に収容される既知のコネクタ５２によって、機械１の電気回路に接続される。
【００２５】
１つの変形では、本体３４の一部のみが、夫々の加熱装置４４を組み込み、他の本体３４は、中央孔３７を備えない頂壁３６によって、頂部でそれぞれ閉じられる。
【００２６】
夫々の加熱装置４４を組み込む本体３４を利用することの利点は、上記の記載から明らかであろう。より具体的には、容器１１の周りの領域に広がるのみならず、可溶性材料が最も密集させられ、よって、より大きな固化の傾向を有するネジ２８の周りの領域内にも集中する、各抵抗器４５によって解放される熱の故に、極めて簡単で、コンパクトで、低コストな構造は、効果的な加熱容器を提供する。
【図１】
2012518219.tif 000003
【図２】
2012518219.tif 000004
【図３】
2012518219.tif 000005
【図４】
2012518219.tif 000006
【図５】
2012518219.tif 000007
【国際調査報告】
2012518219.tif 000008
2012518219.tif 000009